(57)【要約】【課題】本発明は部品点数を増やすことなく、ピッチの狭小化やケーブルを処理（纏める）することができ、相手コネクタとの強固なロックができ、かつ、簡単にロックを解除できる構造のコネクタを提供する。【解決手段】  本目的はコネクタ１０は複数のコンタクト１４、１５とハウジング１２と上カバー１６及び下カバー１８とストレンリリーフ２０と部材２２とを備え、ストレンリリーフ２０には部材２２が装着され、相手コネクタ５０とのロック手段が設けられるとともに部材２２が作用する第１解除機能部２０４を有し、部材２２にはストレンリリーフ２０の第１解除機能部２０４に作用する第２解除機能部２２４を設け、部材２２を相手コネクタ５０の嵌合方向と逆方向に引くことにより、第２解除機能部２２４が第１解除機能部２０４に作用してストレンリリーフ２０のロック手段が解除されるようにすることで達成できる。【選択図】  図２
2014143178.tif 000002
【特許請求の範囲】
【請求項１】
相手コネクタと着脱自在に嵌合するコネクタであって、
前記コネクタは、
相手コネクタと接触する接触部とケーブルと接続する接続部を有する複数のコンタクトと、
該コンタクトが保持・配列される挿入孔を有するハウジングと、
前記コンタクトの接続部が入る装着孔を有する上カバー及び下カバーと、
前記ケーブルを纏め、整列保持するストレンリリーフと
前記相手コネクタとのロックを解除する部材とを備え、
前記ストレンリリーフには前記部材が装着され、前記相手コネクタとのロック手段が設けられるとともに前記部材が作用する第１解除機能部を有し、
前記部材には前記ストレンリリーフの第１解除機能部に作用する第２解除機能部を設け、
前記部材を前記相手コネクタの嵌合方向と逆方向に引くことにより、前記第２解除機能部が前記第１解除機能部に作用して前記ストレンリリーフのロック手段が解除されることを特徴とするコネクタ。
【請求項２】
可撓性を有する薄肉のプルタブを、前記部材に一体若しくは別体に設け、前記プルタブを前記相手コネクタの嵌合方向と逆方向に引くことにより、前記第２解除機能部が前記第１解除機能部に作用して前記ストレンリリーフのロック手段が解除されることを特徴とする請求項１記載のコネクタ。
【請求項３】
前記ストレンリリーフの長手ピッチ方向両側に一方方向（相手コネクタの嵌合方向）に突出する弾性片を設けるとともに前記突出片の先端に前記ロック手段として内側（ハウジング側）方向に突出する突出部を設け、前記突出部の先端に前記第１解除機能部として係合部を設け、
前記部材には長手ピッチ方向両側に一方方向（相手コネクタの嵌合方向）に突出する突出片を設けるとともに前記弾性片内に前記ストレンリリーフの突出片が入る係止孔を設け、前記弾性片の前記係止孔先端側に前記第２解除機能部として係止部を設け、
前記プルタブを前記相手コネクタの嵌合方向と逆方向に引くことにより、前記係止部が前記係合部に作用して前記ストレンリリーフの突出部が解除されることを特徴とする請求項１または２記載のコネクタ。
【請求項４】
前記ストレンリリーフの長手ピッチ方向両側で、幅方向の一方側に一方方向（相手コネクタの嵌合方向）に突出する弾性片を設けるとともに前記突出片の先端に前記ロック手段として高さ方向と垂直に突出する突出部を設け、高さ方向のほぼ中央付近に前記第１解除機能部として凸部を設け、
前記部材には長手ピッチ方向両側に一方方向（相手コネクタの嵌合方向）に突出する突出片を設けるとともにその先端に前記第２解除機能部として前記凸部と逆方向に突出する突部を設け、
前記プルタブを前記相手コネクタの嵌合方向と逆方向に引くことにより、前記突部が前記凸部に作用して前記ストレンリリーフの突出部が解除されることを特徴とする請求項１または２記載のコネクタ。
【請求項５】
前記ストレンリリーフの長手ピッチ方向両側で、幅方向両側に一方方向（相手コネクタの嵌合方向）に突出する２つの弾性片を設けるとともに前記突出片の先端に前記ロック手段として高さ方向と垂直に互いに向き合うように突出する突出部を設け、高さ方向のほぼ中央付近に前記第１解除機能部として凸部を設け、
前記部材には長手ピッチ方向両側で、幅方向ほぼ中央付近から一方方向（相手コネクタの嵌合方向）に突出する突出片を設けるとともにその先端に前記第２解除機能部として前記凸部と対向し突出する突部を設け、
前記プルタブを前記相手コネクタの嵌合方向と逆方向に引くことにより、前記突部が前記凸部に作用して前記ストレンリリーフの突出部が解除されることを特徴とする請求項１または２記載のコネクタ。
【請求項６】
前記部材の移動量を制限する移動制限手段を設けることを特徴とする請求項３、４または５記載のコネクタ。
【発明の詳細な説明】
【技術分野】
【０００１】
本発明は、シーケンサや基地局や自動改札機や遊技機や交換機等の電気機器や電子機器に使用されるコネクタに関するもので、特に、部品点数を増やすことなく、ケーブルを処理（纏める）することができ、相手コネクタとの強固なロックができ、かつ、簡単にロックを解除できる構造に関するものである。
【背景技術】
【０００２】
コネクタは機器間を接続するものであり、少なくともとしては、相手物と接触する接触部とケーブル（フレキシブルフラットケーブル（以下、ＦＦＣという）を含む）に接続する接続部を有する複数のコンタクトと前記コンタクトを配列・保持するハウジングを備えている。前記コンタクトの接続部は、前記ケーブルを圧接する圧接タイプである。所謂、Ｕ字形状のスリット部分に前記ケーブルの芯線を差し込んで、前記芯線の外被を切り、導体部分と接続するものである。前記コンタクトの接続部に前記ケーブルを圧接する場合には均一に押し込むためにカバー（特許文献１，３，４参照）を用いることが多い。また、ケーブルを纏めて１方向に処理するためにはストレンリリーフ（特許文献１，３，４参照）を用いることが多い。さらに、ＦＦＣの芯線間を切断したり、狭ピッチ化するために立体圧接の上下カバー（特許文献２参照）を用いることがある。相手コネクタとより強固なロックをするためには、別部品（特許文献３参照）を用いたり、相手コネクタにロック機構（特許文献４参照）を設けて行っている。
下記に、本出願人が提案した文献として、ストレンリリーフを用いた特許文献１（特開２００１−４３９１８）と上下カバーを用いた特許文献２（特開２００３−６８３７６）
とストレンリリーフを用いて相手コネクタとのロック機構を有した特許文献３（特開２００１−３３２３４６）とストレンリリーフを用いて相手コネクタ側にロック機構を有した特許文献４（登録実用新案第３０６３２１１号）を挙げます。
【特許文献１】特開２００１−４３９１８。この文献の要約によると、ケーブルコネクタのソケットコンタクトの圧接部分に力が加わることなく、ケーブルコネクタの低背位化および機器内でのコネクタの取り外しを容易にすることを目的とし、ピンコネクタ３０は、ソケットコンタクトと嵌合するピンコンタクト３４と、このピンコンタクトが保持・固定されるブロック３２とからなる電気コネクタにおいて、ストレンリリーフ２０は本体部４４とサイド部４６とから構成され、本体部をケーブルの厚み分だけサイド部より低くすると共にストレンリリーフ２０装着後にストレンリリーフのサイド部の上面とカバー１６の上面部分をほぼ同一高さにする。ほぼ同一高さとは、カバー１６の上面部分より０〜０．５ｍｍ程度低くした状態である。また、ケーブルコネクタのストレンリリーフとピンコネクタのブロックとの間に段部を設け、略Ｕ字形状に湾曲させた１枚の板状片からなる抜去用治具の係合部を前記段部に係合させ、前記コネクタを取り外せるようにする構造の電気コネクタが開示されている。
【特許文献２】特開２００３−６８３７６。この文献の要約によると、コネクタの低背化が可能で、かつ、接続線が屈曲力に強い構造の圧接形コネクタを提供することを目的とし、コネクタ本体１０側及びカバー３０側の各接続線保持用傾斜台の突出側湾曲部を略水平に削除し水平部２２、２２Ａを設けると共にこの突出側湾曲部の水平部２２、２２Ａに対応した位置のコネクタ本体１０側及びカバー３０側の各接続線保持用傾斜台の窪み側湾曲部に略水平に凸部３４、３４Ａを設け、水平に削除し水平部２２、２２Ａを設けた突出側湾曲部と凸部３４、３４Ａを設けた窪み側湾曲部とで接続線装着部を形成し、コネクタ本体１０側及びカバー３０側の前記接続線引出し部の接続線案内用突起に接続線３６に食い込む程度延設した延設部２６、２６Ａを設けることで達成できる構造の圧接形コネクタが開示されている。
【特許文献３】特開２００１−３３２３４６。ロック機構無しのコネクタを採用した場合でも、確実にピンコネクタ２０とソケットコネクタ４０を保持できる構造のロック補助パーツを備えた電気コネクタを提供することを目的とし、ソケットコネクタ４０はフラットケーブル５０と、ソケットコンタクトと、ハウジング４４と、カバー４６と、カバー４６との間でフラットケーブル５０を挟持するストレインリリーフ４８とからなり、ピンコネクタ２０はピンコンタクトと、このピンコンタクトが保持・固定されるブロックとからなる。ロック補助パーツ１２は、前記ピンコネクタ２０に係合する部分とソケットコネクタ４０に係合する部分とからなり、ピンコネクタ２０とソケットコネクタ４０とに係合させることにより確実に嵌合状態を保持できる構造の電気コネクタが開示されている。
【特許文献４】登録実用新案第３０６３２１１号。コネクタ外装部を透明又は半透明の樹脂として、コネクタ内部が透視できるようにしたパチンコ機器用電気コネクタを提供することを目的とし、パチンコ機器内に取り付けられる電気コネクタであって、コネクタ外装部１１０，２１０，２３０，２４０が透明又は半透明の樹脂からなり、コネクタ内部が透視できるようにしたパチンコ機器用電気コネクタにあり、これによって、不正な手段の容易な発見と不正な手段の大きな抑止力が得られる構造のパチンコ機器用電気コネクタが開示されている。
【発明の開示】
【発明が解決しようとする課題】
【０００３】
近年、客先からは相手コネクタとの嵌合は強固にロックができ、抜去する際には簡単にロックを解除できる構造を要求されている。また、ケーブル付きのコネクタのため、ケーブルを１方向に纏めることができ、機器の小型化からピッチの狭小化や管理工数から部品点数も増やさないことが要求されている。
特許文献１は、ストレンリリーフを用いてケーブルを１方向に纏める構造であるが、相手コネクタとのロック機構を有してなく、別部品の治具等で取り外しを行っており、狭ピッチ化の対応にもなっていない。
特許文献２は、立体圧接による狭ピッチ化は可能であるが、相手コネクタとのロック機構を有してなく、ケーブルを１方向に纏める構造にはなっていない。
特許文献３は、ストレンリリーフを用いてケーブルを１方向に纏める構造であり、嵌合時の簡単なロック機構も有しているが、相手コネクタとのロック機構が強固ではないためべつのロック補助パーツを用いており、治具等を用いないとロック補助パーツを外すことが出来なく、狭ピッチ化の対応にもなっていない。
特許文献４は、ストレンリリーフを用いてケーブルを１方向に纏める構造であり、嵌合時のロック機構として相手コネクタ側にロック部材を有しているが、手等でロック部材を外さないとロックを解除できず、狭ピッチ化の対応にもなっていない。
【０００４】
本発明は、このような従来の問題点に鑑みてなされたもので、部品点数を増やすことなく、ピッチの狭小化やケーブルを処理（纏める）することができ、相手コネクタとの強固なロックができ、かつ、簡単にロックを解除できる構造のコネクタを提供するものである。
【課題を解決するための手段】
【０００５】
本目的は、請求項１記載のように、相手コネクタと着脱自在に嵌合するコネクタであって、
前記コネクタは、
相手コネクタと接触する接触部とケーブルと接続する接続部を有する複数のコンタクトと、
該コンタクトが保持・配列される挿入孔を有するハウジングと、
前記コンタクトの接続部が入る装着孔を有する上カバー及び下カバーと、
前記ケーブルを纏め、整列保持するストレンリリーフと
前記相手コネクタとのロックを解除する部材とを備え、
前記ストレンリリーフには前記部材が装着され、前記相手コネクタとのロック手段が設けられるとともに前記部材が作用する第１解除機能部を有し、
前記部材には前記ストレンリリーフの第１解除機能部に作用する第２解除機能部を設け、
前記部材を前記相手コネクタの嵌合方向と逆方向に引くことにより、前記第２解除機能部が前記第１解除機能部に作用して前記ストレンリリーフのロック手段が解除されることを特徴とするコネクタにすることにより達成できる。
【０００６】
請求項２記載のコネクタは、可撓性を有する薄肉のプルタブを、前記部材に一体若しくは別体に設け、前記プルタブを前記相手コネクタの嵌合方向と逆方向に引くことにより、前記第２解除機能部が前記第１解除機能部に作用して前記ストレンリリーフのロック手段が解除されることを特徴とする請求項１記載のコネクタにある。
また、請求項３記載のコネクタは、前記ストレンリリーフの長手ピッチ方向両側に一方方向（相手コネクタの嵌合方向）に突出する弾性片を設けるとともに前記突出片の先端に前記ロック手段として内側（ハウジング側）方向に突出する突出部を設け、前記突出部の先端に前記第１解除機能部として係合部を設け、
前記部材には長手ピッチ方向両側に一方方向（相手コネクタの嵌合方向）に突出する突出片を設けるとともに前記弾性片内に前記ストレンリリーフの突出片が入る係止孔を設け、前記弾性片の前記係止孔先端側に前記第２解除機能部として係止部を設け、
前記プルタブを前記相手コネクタの嵌合方向と逆方向に引くことにより、前記係止部が前記係合部に作用して前記ストレンリリーフの突出部が解除されることを特徴とする請求項１または２記載のコネクタにある。
さらに、請求項４記載のコネクタは、前記ストレンリリーフの長手ピッチ方向両側で、幅方向の一方側に一方方向（相手コネクタの嵌合方向）に突出する弾性片を設けるとともに前記突出片の先端に前記ロック手段として高さ方向と垂直に突出する突出部を設け、高さ方向のほぼ中央付近に前記第１解除機能部として凸部を設け、
前記部材には長手ピッチ方向両側に一方方向（相手コネクタの嵌合方向）に突出する突出片を設けるとともにその先端に前記第２解除機能部として前記凸部と逆方向に突出する突部を設け、
前記プルタブを前記相手コネクタの嵌合方向と逆方向に引くことにより、前記突部が前記凸部に作用して前記ストレンリリーフの突出部が解除されることを特徴とする請求項１または２記載のコネクタにある。
【０００７】
請求項５記載のコネクタは、前記ストレンリリーフの長手ピッチ方向両側で、幅方向両側に一方方向（相手コネクタの嵌合方向）に突出する２つの弾性片を設けるとともに前記突出片の先端に前記ロック手段として高さ方向と垂直に互いに向き合うように突出する突出部を設け、高さ方向のほぼ中央付近に前記第１解除機能部として凸部を設け、
前記部材には長手ピッチ方向両側で、幅方向ほぼ中央付近から一方方向（相手コネクタの嵌合方向）に突出する突出片を設けるとともにその先端に前記第２解除機能部として前記凸部と対向し突出する突部を設け、
前記プルタブを前記相手コネクタの嵌合方向と逆方向に引くことにより、前記突部が前記凸部に作用して前記ストレンリリーフの突出部が解除されることを特徴とする請求項１または２記載のコネクタにある。
また、請求項６記載のコネクタは、前記部材の移動量を制限する移動制限手段を設けることを特徴とする請求項３、４または５記載のコネクタにある。
【発明の効果】
【０００８】
以上の説明から明らかなように、本発明のコネクタによると、次のような優れた効果が得られる。本発明のコネクタでは、部品点数を増やすことなく、ピッチの狭小化やケーブルを処理（纏める）することができ、相手コネクタとの強固なロックができ、かつ、簡単にロックを解除でき、相手コネクタとの挿抜時にクリック感がある構造のコネクタを提供できる。
（１）相手コネクタと着脱自在に嵌合するコネクタであって、
前記コネクタは、
相手コネクタと接触する接触部とケーブルと接続する接続部を有する複数のコンタクトと、
該コンタクトが保持・配列される挿入孔を有するハウジングと、
前記コンタクトの接続部が入る装着孔を有する上カバー及び下カバーと、
前記ケーブルを纏め、整列保持するストレンリリーフと
前記相手コネクタとのロックを解除する部材とを備え、
前記ストレンリリーフには前記部材が装着され、前記相手コネクタとのロック手段が設けられるとともに前記部材が作用する第１解除機能部を有し、
前記部材には前記ストレンリリーフの第１解除機能部に作用する第２解除機能部を設け、
前記部材を前記相手コネクタの嵌合方向と逆方向に引くことにより、前記第２解除機能部が前記第１解除機能部に作用して前記ストレンリリーフのロック手段が解除されることを特徴とするコネクタにしているので、部品点数を増やすことなく、ピッチの狭小化やケーブルを処理（纏める）することができ、相手コネクタとの強固なロックができ、かつ、簡単にロックを解除でき、相手コネクタとの挿抜時にクリック感がある構造のコネクタを提供できる。
（２）請求項２記載のコネクタは、可撓性を有する薄肉のプルタブを、前記部材に一体若しくは別体に設け、前記プルタブを前記相手コネクタの嵌合方向と逆方向に引くことにより、前記第２解除機能部が前記第１解除機能部に作用して前記ストレンリリーフのロック手段が解除されることを特徴とする請求項１記載のコネクタにしているので、部品点数を増やすことなく、ピッチの狭小化やケーブルを処理（纏める）することができ、相手コネクタとの強固なロックができ、かつ、プルタブを引くだけで簡単にロックを解除でき、相手コネクタとの挿抜時にクリック感がある構造のコネクタを提供できる。
（３）請求項３記載のコネクタは、前記ストレンリリーフの長手ピッチ方向両側に一方方向（相手コネクタの嵌合方向）に突出する弾性片を設けるとともに前記突出片の先端に前記ロック手段として内側（ハウジング側）方向に突出する突出部を設け、前記突出部の先端に前記第１解除機能部として係合部を設け、
前記部材には長手ピッチ方向両側に一方方向（相手コネクタの嵌合方向）に突出する突出片を設けるとともに前記弾性片内に前記ストレンリリーフの突出片が入る係止孔を設け、前記弾性片の前記係止孔先端側に前記第２解除機能部として係止部を設け、
前記プルタブを前記相手コネクタの嵌合方向と逆方向に引くことにより、前記係止部が前記係合部に作用して前記ストレンリリーフの突出部が解除されることを特徴とする請求項１または２記載のコネクタにしているので、部品点数を増やすことなく、ピッチの狭小化やケーブルを処理（纏める）することができ、相手コネクタとの強固なロックができ、かつ、プルタブを引くだけで簡単にロックを解除でき、相手コネクタとの挿抜時にクリック感がある構造のコネクタを提供できる。
（４）請求項４記載のコネクタは、前記ストレンリリーフの長手ピッチ方向両側で、幅方向の一方側に一方方向（相手コネクタの嵌合方向）に突出する弾性片を設けるとともに前記突出片の先端に前記ロック手段として高さ方向と垂直に突出する突出部を設け、高さ方向のほぼ中央付近に前記第１解除機能部として凸部を設け、
前記部材には長手ピッチ方向両側に一方方向（相手コネクタの嵌合方向）に突出する突出片を設けるとともにその先端に前記第２解除機能部として前記凸部と逆方向に突出する突部を設け、
前記プルタブを前記相手コネクタの嵌合方向と逆方向に引くことにより、前記突部が前記凸部に作用して前記ストレンリリーフの突出部が解除されることを特徴とする請求項１または２記載のコネクタにしているので、部品点数を増やすことなく、ピッチの狭小化やケーブルを処理（纏める）することができ、相手コネクタとの強固なロックができ、かつ、プルタブを引くだけで簡単にロックを解除でき、相手コネクタとの挿抜時にクリック感がある構造のコネクタを提供できる。
（５）請求項５記載のコネクタは、前記ストレンリリーフの長手ピッチ方向両側で、幅方向両側に一方方向（相手コネクタの嵌合方向）に突出する２つの弾性片を設けるとともに前記突出片の先端に前記ロック手段として高さ方向と垂直に互いに向き合うように突出する突出部を設け、高さ方向のほぼ中央付近に前記第１解除機能部として凸部を設け、
前記部材には長手ピッチ方向両側で、幅方向ほぼ中央付近から一方方向（相手コネクタの嵌合方向）に突出する突出片を設けるとともにその先端に前記第２解除機能部として前記凸部と対向し突出する突部を設け、
前記プルタブを前記相手コネクタの嵌合方向と逆方向に引くことにより、前記突部が前記凸部に作用して前記ストレンリリーフの突出部が解除されることを特徴とする請求項１または２記載のコネクタにしているので、部品点数を増やすことなく、ピッチの狭小化やケーブルを処理（纏める）することができ、相手コネクタとの強固なロックができ、かつ、プルタブを引くだけで簡単にロックを解除でき、相手コネクタとの挿抜時にクリック感がある構造のコネクタを提供できる。
（６）請求項６記載のコネクタは、前記部材の移動量を制限する移動制限手段を設けることを特徴とする請求項３、４または５記載のコネクタにしているので、部品点数を増やすことなく、ピッチの狭小化やケーブルを処理（纏める）することができ、相手コネクタとの強固なロックができ、かつ、プルタブを引くだけで簡単にロックを解除でき、相手コネクタとの挿抜時にクリック感がある構造のコネクタを提供でき、引いても前記部材が外れることがない。
【図面の簡単な説明】
【０００９】
【図１】（Ａ）  本発明のコネクタを嵌合方向上側よりみた斜視図である。（Ｂ）  本発明のコネクタを嵌合方向の反対側下側よりみた斜視図である。（Ｃ）  本発明のコネクタが相手コネクタと嵌合した状態の斜視図である。
【図２】（Ａ）  プルタブ付きの本発明のコネクタを、あるコンタクト部分で断面した縦断面図である。（Ｂ）  プルタブ付きの本発明のコネクタを、幅方向の中心で断面した横断面図である。（Ｃ）  本発明のコネクタと相手コネクタが嵌合した状態で、側面方向からみた側面図である。
【図３】（Ａ）  ストレンリリーフをコネクタ装着方向よりみた斜視図である。（Ｂ）  プルタブを取り付けた状態の部材をコネクタ装着方向よりみた斜視図である。（Ｃ）  プルタブを取り付けられた部材が装着された状態のストレンリリーフをコネクタ装着方向よりみた斜視図である。
【図４】（Ａ）  分離した状態の上下カバーを、下カバー方向よりみた斜視図である。（Ｂ）  分離した状態の上下カバーを、上カバー方向よりみた斜視部である。（Ｃ）  嵌め合わさった状態の上下カバーを、あるコンタクト装着孔部分で断面した断面図である。
【図５】（Ａ）  ハウジングを嵌合方向よりみた斜視図である。（Ｂ）  ハウジングを嵌合方向と反対方向よりみた斜視図である。（Ｃ）  ハウジングをある挿入孔部分で断面した断面図である。
【図６】（Ａ）  ２種類のコンタクトを接触部方向よりみた斜視図である。（Ｂ）  ２種類のコンタクトを接続部方向よりみた斜視図である。（Ｃ）  ２種類のコンタクトが装着された状態のハウジングを接続部方向よりみた斜視図である。
【図７】（Ａ）  図１とは別の本発明のコネクタを嵌合方向上側よりみた斜視図である。（Ｂ）  図１とは別の本発明のコネクタを嵌合方向の反対側下側よりみた斜視図である。（Ｃ）  図１とは別の本発明のコネクタが相手コネクタと嵌合した状態の斜視図である。
【図８】（Ａ）  図１とは別のプルタブ付きの本発明のコネクタを、あるコンタクト部分で断面した縦断面図である。（Ｂ）  図１とは別のプルタブ付きの本発明のコネクタを、幅方向の中心で断面した横断面図である。（Ｃ）  図１とは別の本発明のコネクタと相手コネクタが嵌合した状態で、側面方向からみた側面図である。
【図９】（Ａ）  図７のストレンリリーフをコネクタ装着方向よりみた斜視図である。（Ｂ）  図７のプルタブを取り付けた状態の部材をコネクタ装着方向よりみた斜視図である。（Ｃ）  図７のプルタブを取り付けられた部材が装着された状態のストレンリリーフをコネクタ装着方向よりみた斜視図である。
【図１０】（Ａ）  図１及び図７とは別の本発明のコネクタを嵌合方向上側よりみた斜視図である。（Ｂ）  図１及び図７とは別の本発明のコネクタを嵌合方向の反対側下側よりみた斜視図である。（Ｃ）  図１及び図７とは別の本発明のコネクタが相手コネクタと嵌合した状態の斜視図である。
【図１１】（Ａ）  図１及び図７とは別のプルタブ付きの本発明のコネクタを、あるコンタクト部分で断面した縦断面図である。（Ｂ）  図１及び図７とは別のプルタブ付きの本発明のコネクタを、幅方向の中心で断面した横断面図である。（Ｃ）  図１及び図７とは別の本発明のコネクタと相手コネクタが嵌合した状態で、側面方向からみた側面図である。
【図１２】（Ａ）  図１０のストレンリリーフをコネクタ装着方向よりみた斜視図である。（Ｂ）  図１０のプルタブを取り付けた状態の部材をコネクタ装着方向よりみた斜視図である。（Ｃ）  図１０のプルタブを取り付けられた部材が装着された状態のストレンリリーフをコネクタ装着方向よりみた斜視図である。
【発明を実施するための最良の形態】
【００１０】
本発明の特徴は、相手コネクタ５０と着脱自在に嵌合するコネクタ１０であって、前記コネクタ１０は、相手コネクタ５０と接触する接触部１４１、１５１とケーブルと接続する接続部１４３、１５３を有する複数のコンタクト１４、１５と、該コンタクト１４、１５が保持・配列される挿入孔１２１を有するハウジング１２と、前記コンタクト１４、１５の接続部１４３、１５３が入る装着孔１６１を有する上カバー１６及び下カバー１８と、前記ケーブルを纏め、整列保持するストレンリリーフ２０、３０、４０と、前記相手コネクタ５０とのロックを解除する部材２２、３２、４２とを備え、前記ストレンリリーフ２０、３０、４０には前記部材２２、３２、４２が装着され、前記相手コネクタ５０とのロック手段が設けられるとともに前記部材２２、３２、４２が作用する第１解除機能部２０４、３０４、４０４を有し、前記部材２２、３２、４２には前記ストレンリリーフ２０、３０、４０の第１解除機能部２０４、３０４、４０４に作用する第２解除機能部２２４、３２４、４２４を設け、前記部材２２、３２、４２を前記相手コネクタ５０の嵌合方向と逆方向に引くことにより、前記第２解除機能部２２４、３２４、４２４が前記第１解除機能部２０４、３０４、４０４に作用して前記ストレンリリーフ２０、３０、４０のロック手段が解除されることを特徴とするコネクタである。
つまり、前記ストレンリリーフ２０、３０、４０には前記部材２２、３２、４２が装着され、前記相手コネクタ５０とのロック手段が設けられるとともに前記部材２２、３２、４２が作用する第１解除機能部２０４、３０４、４０４を有し、前記部材２２、３２、４２には前記ストレンリリーフ２０、３０、４０の第１解除機能部２０４、３０４、４０４に作用する第２解除機能部２２４、３２４、４２４を設け、前記部材２２、３２，４２を前記相手コネクタ５０の嵌合方向と逆方向に引くことにより、前記第２解除機能部２２４、３２４、４２４が前記第１解除機能部２０４、３０４、４０４に作用して前記ストレンリリーフ２０、３０、４０のロック手段が解除されるようにしたものである。
【００１１】
図１から図１２に基づいて、本発明のコネクタ１０の実施例について説明する。
図１（Ａ）は本発明のコネクタを嵌合方向上側よりみた斜視図であり、（Ｂ）は本発明のコネクタを嵌合方向の反対側下側よりみた斜視図であり、（Ｃ）は本発明のコネクタが相手コネクタと嵌合した状態の斜視図である。図２（Ａ）はプルタブ付きの本発明のコネクタを、あるコンタクト部分で断面した縦断面図であり、（Ｂ）はプルタブ付きの本発明のコネクタを、幅方向の中心で断面した横断面図であり、（Ｃ）は本発明のコネクタと相手コネクタが嵌合した状態で、側面方向からみた側面図である。図３（Ａ）はストレンリリーフをコネクタ装着方向よりみた斜視図であり、（Ｂ）はプルタブを取り付けた状態の部材をコネクタ装着方向よりみた斜視図であり、（Ｃ）はプルタブを取り付けられた部材が装着された状態のストレンリリーフをコネクタ装着方向よりみた斜視図である。図４（Ａ）は分離した状態の上下カバーを、下カバー方向よりみた斜視図であり、（Ｂ）は分離した状態の上下カバーを、上カバー方向よりみた斜視部であり、（Ｃ）は嵌め合わさった状態の上下カバーを、あるコンタクト装着孔部分で断面した断面図である。図５（Ａ）はハウジングを嵌合方向よりみた斜視図であり、（Ｂ）はハウジングを嵌合方向と反対方向よりみた斜視図であり、（Ｃ）はハウジングをある挿入孔部分で断面した断面図である。図６（Ａ）は２種類のコンタクトを接触部方向よりみた斜視図であり、（Ｂ）は２種類のコンタクトを接続部方向よりみた斜視図であり、（Ｃ）は２種類のコンタクトが装着された状態のハウジングを接続部方向よりみた斜視図である。図７（Ａ）は図１とは別の本発明のコネクタを嵌合方向上側よりみた斜視図であり、（Ｂ）は図１とは別の本発明のコネクタを嵌合方向の反対側下側よりみた斜視図であり、（Ｃ）は図１とは別の本発明のコネクタが相手コネクタと嵌合した状態の斜視図である。図８（Ａ）図１とは別のプルタブ付きの本発明のコネクタを、あるコンタクト部分で断面した縦断面図であり、（Ｂ）図１とは別のプルタブ付きの本発明のコネクタを、幅方向の中心で断面した横断面図であり、（Ｃ）図１とは別の本発明のコネクタと相手コネクタが嵌合した状態で、側面方向からみた側面図である。図９（Ａ）は図７のストレンリリーフをコネクタ装着方向よりみた斜視図であり、（Ｂ）は図７のプルタブを取り付けた状態の部材をコネクタ装着方向よりみた斜視図であり、（Ｃ）は図７のプルタブを取り付けられた部材が装着された状態のストレンリリーフをコネクタ装着方向よりみた斜視図である。図１０（Ａ）は図１及び図７とは別の本発明のコネクタを嵌合方向上側よりみた斜視図であり、（Ｂ）は図１及び図７とは別の本発明のコネクタを嵌合方向の反対側下側よりみた斜視図であり、（Ｃ）は図１及び図７とは別の本発明のコネクタが相手コネクタと嵌合した状態の斜視図である。図１１（Ａ）は図１及び図７とは別のプルタブ付きの本発明のコネクタを、あるコンタクト部分で断面した縦断面図であり、（Ｂ）は図１及び図７とは別のプルタブ付きの本発明のコネクタを、幅方向の中心で断面した横断面図であり、（Ｃ）は図１及び図７とは別の本発明のコネクタと相手コネクタが嵌合した状態で、側面方向からみた側面図である。図１２（Ａ）は図１０のストレンリリーフをコネクタ装着方向よりみた斜視図であり、（Ｂ）は図１０のプルタブを取り付けた状態の部材をコネクタ装着方向よりみた斜視図であり、（Ｃ）は図１０のプルタブを取り付けられた部材が装着された状態のストレンリリーフをコネクタ装着方向よりみた斜視図である。
【００１２】
本発明のコネクタ１０は、少なくともハウジング１２と２種類のコンタクト１４、１５と上下カバー１６、１８とストレンリリーフ２０、３０、４０と部材２２、３２、４２を備えている。必要に応じて、プルタブ２４を備える場合もある。以下の３つの本実施例では、前記プルタブ２４を備えたものについて説明する。
【００１３】
構成部品を説明する前に、本実施例に使用するケーブルについて説明する。導体を絶縁物で覆った複数の芯線が撚られて纏まったものを絶縁物の外皮で覆ったものや、複数の芯線を１本ずつ並べたフレキシブルフラットケーブルなどがある。
【００１４】
まず、図１から図６に基づいて、第１実施例について説明する。本発明のポイントである相手コネクタからの抜去（取り外し）の仕方について説明する。前記部材２２を手で引く（嵌合と反対方向）と前記部材２２の第２解除機能部（係止部）２２４が前記ストレンリリーフ２０の第１解除機能部（係合部）２０４に係合することで、前記ストレンリリーフ２０の第１解除機能部（係合部）２０４が外側に開き、前記ストレンリリーフ２０の突出部２０３が相手コネクタから外れて、相手コネクタから抜去（取り外し）することができる。手が入るスペースがない場合、前記部材２２に取り付けられた前記プルタブ２４を図２（Ｂ）の矢印「イ」方向に水平に引くと、前記部材２２の第２解除機能部（係止部）２２４が前記ストレンリリーフ２０の第１解除機能部（係合部）２０４に係合することにより前記ストレンリリーフ２０の弾性片２０２を外側に開かせ、前記弾性片２０２が開くことで、長手方向両側の前記ストレンリリーフ２０の突出部２０３が一方は図２（Ｂ）の矢印「ロ」方向に、他方は矢印「ロ」と反対方向に変位することで相手コネクタから外れて、相手コネクタから抜去（取り外し）することができる。この際には、クリック感が得られる。この際によりクリック感を得るには、更に前記突出部２０３と同様の突出部をある一定間隔を隔てて設けることが望ましい。
【００１５】
相手コネクタとの嵌合の際には、前記コネクタ１０を挿入していくと、前記ストレンリリーフ２０の弾性片２０２が外側に開き、前記突出部２０３を相手コネクタ５０の係止部５２が乗り越え、前記弾性片２０２の弾性力によって元に戻り、前記突出部２０３が相手コネクタと係合することで嵌合が完了する。この際には、クリック感が得られる。
【００１６】
まず、部材２２について説明する。この部材２２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記部材２２は本体部２２１とその両端より嵌合方向に突出する突出片２２２を有している。前記部材２２は略Ｕ字形状をしている。
【００１７】
前記本体部２２１には、前記プルタブ２４が挿入される孔２２６が２つ並行に設けられている。２つ並行に孔２２６を設けることで、図３（Ｂ）のように折り返されて嵌合口５と反対方向に突出するようになっている。前記孔２２６の形状・大きさは、前記プルタブ２４が入ればよく、前記プルタブ２４の大きさに沿うように、強度や加工性等を考慮して適宜設計する。
【００１８】
前記突出片２２２には、凸形状の係止孔２２３が設けられている。前記係止孔２２３には、前記ストレンリリーフ２０の弾性片２０２が係合する（入る）。前記係止孔２２３の形状・大きさは、前記ストレンリリーフ２０の弾性片２０２が入り、抜去時に前記弾性片２０２が摺動できればよく、摺動性や前記突出片２２２の弾性や強度や加工性等を考慮して適宜設計する。
【００１９】
前記突出片２２２の先端には、前記ストレンリリーフ２０の係合部２０４（第１解除機能部）と係合し、前記ストレンリリーフ２０の突出部２０３が相手コネクタ５０の係止部５２から外すための係止部２２４（第２解除機能部）が設けられている。前記係止部２２４（第２解除機能部）の形状・大きさは、係合することで相手コネクタ５０とのロックが解除できればよく、その役割や係合性や強度や加工性等を考慮して適宜設計する。先端の形状には係合性を考え、Ｒ形状やＣ面取りやテーパにするとよい。
【００２０】
前記突出片２２２の係止孔２２３のほぼ中央付近には、段部２２５が設けられている。前記段部２２５は前記ストレンリリーフ２０が摺動した際の位置決め（これ以上動かないようにする）のためのものである。前記段部２２５の形状・大きさ及び位置は、役割や強度や加工性等を考慮して適宜設計する。
【００２１】
次に、ストレンリリーフ２０について説明する。このストレンリリーフ２０は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ストレンリリーフ２０は本体２０１とその両端より嵌合方向に突出する弾性片２０２を有しており、略Ｕ字形状をしている。
【００２２】
前記弾性片２０２の先端には、内側方向（各弾性片２０２の向き合い）に突出し、前記相手コネクタ５０の係止部５２と係合する突出部２０３が設けられている。前記突出部２０３は、前記相手コネクタ５０との嵌合時のロック部分である。前記突出部２０３の形状・大きさは、相手コネクタ５０の係止部５２と係合出来ればよく、保持力や係合性や強度や加工性等を考慮して適宜設計する。先端の形状には係合性を考え、Ｒ形状やＣ面取りやテーパにするとよい。
【００２３】
さらに、前記突出部２０３の先端側には、前記部材２２の係止部２２４（第２解除機能部）と係合し、前記ストレンリリーフ２０の突出部２０３が相手コネクタ５０の係止部５２から外すための係合部２０４（第１解除機能部）が設けられている。前記係合部２０４（第１解除機能部）の形状・大きさは、係合することで相手コネクタ５０とのロックが解除できればよく、その役割や係合性や強度や加工性等を考慮して適宜設計する。
【００２４】
前記弾性片２０２のほぼ中央付近で、前記段部２２５に対応する位置には、段差部２０５が設けられている。前記段差部２０５は前記ストレンリリーフ２０が摺動した際の位置決め（これ以上動かないようにする）のためのものである。前記段差部２０５の形状・大きさ及び位置は、役割や強度や加工性等を考慮して適宜設計する。
【００２５】
次に、２種類の前記コンタクト１４、１５について説明する。２種類の前記コンタクト１４、１５は金属製であり、公知技術のプレス加工によって製作されている。２種類の前記コンタクト１４、１５の材質としては、バネ性や導電性や寸法安定性などが要求されるので、黄銅やベリリウム銅やリン青銅等を挙げることができる。本実施例では、２種類の前記コンタクト１４、１５は前記ハウジング１２に圧入によって固定されている。
【００２６】
２種類の前記信号コンタクト１４、１５は、相手コネクタと接触する接触部１４１、１５１と前記ハウジング１２に固定される固定部１４２、１５２と前記ケーブルが接続される接続部１４３、１５３とを有している。
【００２７】
前記接触部１４１、１５１は、相手物と接触し易いように相手物の形状に沿うように適宜設計しているが、本実施例では湾曲形状をしている。
【００２８】
前記接続部１４３、１５３は前記ケーブルに接続する部分であり、その方法としては半田付けや圧着や圧接などを挙げることができる。本実施例では圧接によりケーブルと接続している。さらに、本実施例では狭ピッチの対応するため、上下カバー１６、１８を用いた立体圧接構造にしている。
【００２９】
前記固定部１４２、１５２は、前記ハウジング１２に固定出来れば如何なる方法でもよく、圧入や引っ掛け（ランス）や溶着や一体成形等を挙げることができる。本実施例では前記ハウジング１２へ圧入により保持・固定している。前記固定部１４２、１５２の形状・大きさは、保持力や加工性や強度等を考慮して適宜設計する。
【００３０】
次に、ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ハウジング１２には、相手コネクタが入る嵌合口５が設けられている。前記嵌合口５は、前記相手コネクタが入ればよく、前記相手コネクタの形状に沿うように適宜設計されている。
【００３１】
前記ハウジング１２は、本体１２２と該本体１２２から相手コネクタの挿入方向へ突出し、前記相手コネクタに入る嵌合部１２３を有している。前記嵌合部１２３は前記相手コネクタに入ればよく、前記相手コネクタの形状に沿うように適宜設計されている。前記嵌合部１２３内には、２種類の前記コンタクト１４、１５が保持・配列される挿入孔１２１が設けられている。
【００３２】
前記挿入孔１２１は圧入や引っ掛け（ランス）や溶着等によって固定されている。本実施例では、それぞれのコンタクト１４、１５は圧入によって固定されている。
【００３３】
前記ハウジング１２の長手ピッチ方向両側で、幅方向両側には凸部１２４が設けられている。前記凸部１２４は、前記凸部１２４間に前記部材２２の弾性片２２５を配置させ、前記部材２２を引いた際に前記弾性片２２５が前記凸部１２４にあたることでそれ以上引けない状態で、かつ、前記ストレンリリーフ２０が開いた状態で維持するためのものである。その形状・大きさは、役割やコネクタの小型化や強度や加工性等を考慮して適宜設計する。
【００３４】
前記ハウジング１２の長手ピッチ方向両側には、嵌合方向と反対側に突出した突出片１２５が設けられている。前記突出片１２５は、２つの前記突出片１２５間に上下カバー１６、１８を挟み込んで、長手ピッチ方向の位置決めをするためのものである。
【００３５】
前記突出片１２５の先端には、長手ピッチ方向内側に突出した係合部１２７が設けられている。前記係合部１２７は、前記上カバー１６の端部に係合することで、上下カバー１６、１８の高さ方向の位置決めをするためのものである。前記突出片１２５と前記係合部１２７の形状・大きさは、上下カバー１６、１８を位置決め、保持できればよく、その形状・大きさは役割や強度や弾性や加工性等を考慮して適宜設計する。
【００３６】
前記突出片１２５のほぼ中央付近には、係止部１２６が設けられている。前記係止部１２６は前記ストレンリリーフ２０と係合することで、前記ストレンリリーフ２０を保持するためのものである。その形状・大きさは加工性や役割や強度等を考慮して適宜設計する。
【００３７】
次に、上カバー１６と下カバー１８について説明する。この上下カバー１６、１８は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００３８】
上下カバー１６、１８には、２種類の前記コンタクト１４、１５の接続部１４３、１５３が入る装着孔１６１、１８１が幅方向に４列ずつ長手ピッチ方向に０．５〜０．８ｍｍ間隔で設けられている。前記装着孔１６１、１８１は前記コンタクト１４、１５が入ればよく、その形状・大きさは前記コンタクト１４、１５の接続部１４３、１５３が入ればよく、狭ピッチ化や加工性や強度等を考慮して適宜設計している。
【００３９】
上下カバー１６、１８には、幅方向に互い違いに湾曲形状をした傾斜台１６４、１８４が長手ピッチ方向に０．５〜０．８ｍｍピッチで設けられている。上下カバー１６、１８を、嵌め合わせた際に、前記傾斜台１６４、１８４同士が嵌め合わさり、前記ＦＦＣの場合に前記傾斜台１６４、１８４の端部で芯線間の絶縁物を切断している。前記傾斜台１６４、１８４の形状・大きさは、芯線間を切断や振り分けできればよく、コネクタの小型化や役割や狭ピッチ化や加工性や強度等を考慮して適宜設計される。
【００４０】
前記上下カバー１６、１８の長手ピッチ方向両端部の幅方向中央部付近には、一方のカバー側にガイド片と他方のカバー側にガイド溝とが設けられている。本実施例では、上カバー１６側にガイド片１６３を設け、下カバー１８側にガイド溝１８３を設けている。前記ガイド片１６３と前記ガイド溝１８３は、上下カバー１６、１８の嵌合（嵌め合わせる）の際に、上下カバー１６、１８の嵌め合わせをスムーズに行うためのものである。前記ガイド片１６３と前記ガイド溝１８３の形状・大きさは、このような役割を満足すればよく、役割やガイド性や加工性や強度等を考慮して適宜設計する。
【００４１】
前記上下カバー１６、１８の長手ピッチ方向両端部の幅方向両側には、一方のカバー側に位置決めピンと他方のカバー側に位置決め孔とが設けられている。本実施例では、上カバー１６側に位置決めピン１６２を設け、下カバー１８側に位置決め孔１８２を設けている。前記位置決めピン１６２と前記位置決め孔１８２は、上下カバー１６、１８の嵌合（嵌め合わせる）の際に、上下カバー１６、１８の位置合わせを行うためのものである。前記位置決めピン１６２と前記位置決め孔１８２の形状・大きさは、このような役割を満足すればよく、役割や位置決め性や加工性や強度等を考慮して適宜設計する。
【００４２】
まず、図７から図９に基づいて、別の第２実施例について説明する。第１実施例との相違部位についてのみ以下で説明する。本発明のポイントである相手コネクタからの抜去（取り外し）の仕方について説明する。前記部材３２を手で引く（嵌合と反対方向）と前記部材３２の第２解除機能部（突部）３２４が前記ストレンリリーフ３０の第１解除機能部（凸部）３０４に係合することで、前記ストレンリリーフ３０の第１解除機能部（凸部）３０４が上側に持ち上げられ、前記ストレンリリーフ３０の突出部３０３が相手コネクタから外れて、相手コネクタから抜去（取り外し）することができる。手が入るスペースがない場合、前記部材３２に取り付けられた前記プルタブ２４を図８（Ｃ）の矢印「ハ」方向に水平に引くと、前記部材３２の第２解除機能部（突部）３２４が前記ストレンリリーフ３０の第１解除機能部（凸部）３０４に係合することにより前記ストレンリリーフ３０の弾性片３０２を上側に持ち上げられ、前記弾性片３０２が上側へ変位（開く）ことで、長手方向両側の前記ストレンリリーフ３０の突出部３０３が一方は図８（Ｃ）の矢印「ニ」方向に変位することで相手コネクタから外れて、相手コネクタから抜去（取り外し）することができる。この際には、クリック感が得られる。この際によりクリック感を得るには、更に前記突出部３０３と同様の突出部をある一定間隔を隔てて設けることが望ましい。
【００４３】
相手コネクタとの嵌合の際には、前記コネクタ１０を挿入していくと、前記ストレンリリーフ３０の弾性片３０２が上側に持ち上げられ、前記突出部３０３を相手コネクタ５０の係止部５２が乗り越え、前記弾性片３０２の弾性力によって元に戻り、前記突出部３０３が相手コネクタ５０と係合することで嵌合が完了する。この際には、クリック感が得られる。
【００４４】
まず、部材３２について説明する。この部材３２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記部材３２は本体部３２１とその両端より嵌合方向に突出する突出片３２２を有している。前記部材３２は略Ｕ字形状をしている。
【００４５】
前記本体部３２１には、前記プルタブ２４が挿入される孔３２６が２つ並行に設けられている。２つ並行に孔３２６を設けることで、図９（Ｂ）のように折り返されて嵌合口５と反対方向に突出するようになっている。前記孔３２６の形状・大きさは、前記プルタブ２４が入ればよく、前記プルタブ２４の大きさに沿うように、強度や加工性等を考慮して適宜設計する。
【００４６】
前記突出片３２２は略棒状であり、前記ストレンリリーフ３０の弾性片３０２を変位させればよく、前記突出片３２２は破損しない程度にあまり弾性が無い方がよい。前記突出片３２２の形状・大きさは、その役割（前記ストレンリリーフ３０の弾性片３０２を変位させる）や強度や加工性等を考慮して適宜設計する。
【００４７】
前記突出片３２２の先端には、前記ストレンリリーフ３０の凸部３０４（第１解除機能部）と係合し、前記ストレンリリーフ３０の突出部３０３が相手コネクタ５０の係止部５２から外すための突部３２４（第２解除機能部）が設けられている。前記突部３２４（第２解除機能部）の形状・大きさは、係合することで相手コネクタ５０とのロックが解除できればよく、その役割や係合性や強度や加工性等を考慮して適宜設計する。先端の形状には係合性を考え、Ｒ形状やＣ面取りやテーパにするとよい。
【００４８】
前記突出片３２２の先端側で、内側（突出片３２２の向き合い側）方向に突出した突起部３２５が設けられている。前記突起部３２５は前記ストレンリリーフ３０が摺動した際の位置決め（これ以上動かないようにする）のためのものである。前記突起部３２５の形状・大きさ及び位置は、役割や強度や加工性等を考慮して適宜設計する。
【００４９】
次に、ストレンリリーフ３０について説明する。このストレンリリーフ３０は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ストレンリリーフ３０は本体３０１とその両端より嵌合方向に突出する弾性片３０２を有しており、略Ｕ字形状をしている。
【００５０】
前記弾性片３０２の先端には、下側方向（本実施例では前記相手コネクタ５０の基板実装側）に突出し、前記相手コネクタ５０の係止部５２と係合する突出部３０３が設けられている。前記突出部３０３は、前記相手コネクタ５０との嵌合時のロック部分である。前記突出部３０３の形状・大きさは、相手コネクタ５０の係止部５２と係合出来ればよく、保持力や係合性や強度や加工性等を考慮して適宜設計する。先端の形状には係合性を考え、Ｒ形状やＣ面取りやテーパにするとよい。
【００５１】
また、前記弾性片３０２のほぼ中央付近には、前記部材３２の係止部３２４（第２解除機能部）と係合し、前記ストレンリリーフ３０の突出部３０３が相手コネクタ５０の係止部５２から外すための係合部３０４（第１解除機能部）が設けられている。前記係合部３０４（第１解除機能部）の形状・大きさは、係合することで相手コネクタ５０とのロックが解除できればよく、その役割や係合性や強度や加工性等を考慮して適宜設計する。
【００５２】
さらに、前記本体部３０１から前記弾性片３０２と略並行に突出した板状片３０５が前記部材３２の突起部３２５に対応するように設けられている。前記板状片３０５は前記ストレンリリーフ３０が摺動した際の位置決め（これ以上動かないようにする）のためのものである。前記板状片３０５の形状・大きさ及び位置は、役割や強度や加工性等を考慮して適宜設計する。
【００５３】
まず、図１０から図１２に基づいて、別の第３実施例について説明する。第１実施例及び第２実施例との相違部位についてのみ以下で説明する。本発明のポイントである相手コネクタからの抜去（取り外し）の仕方について説明する。前記部材４２を手で引く（嵌合と反対方向）と前記部材４２の第２解除機能部（係止部）４２４が前記ストレンリリーフ４０の第１解除機能部（係合部）４０４に係合することで、前記ストレンリリーフ４０の第１解除機能部（係合部）４０４が上下方向に開き、前記ストレンリリーフ４０の突出部４０３が相手コネクタから外れて、相手コネクタから抜去（取り外し）することができる。手が入るスペースがない場合、前記部材４２に取り付けられた前記プルタブ２４を図１１（Ｃ）の矢印「ホ」方向に水平に引くと、前記部材４２の第２解除機能部（係止部）４２４が前記ストレンリリーフ４０の第１解除機能部（係合部）４０４に係合することにより前記ストレンリリーフ４０の弾性片４０２を上下方向に開かせ、前記弾性４０２が開くことで、長手方向両側の前記ストレンリリーフ４０の突出部４０３が一方は図１１（Ｃ）の矢印「ヘ」方向に、他方は矢印「ヘ」と反対方向に変位することで相手コネクタから外れて、相手コネクタから抜去（取り外し）することができる。この際には、クリック感が得られる。この際によりクリック感を得るには、更に前記突出部４０３と同様の突出部をある一定間隔を隔てて設けることが望ましい。
【００５４】
相手コネクタとの嵌合の際には、前記コネクタ１０を挿入していくと、前記ストレンリリーフ４０の弾性片４０２が上下方向に開き、前記突出部４０３を相手コネクタ５０の係止部５２が乗り越え、前記弾性片４０３の弾性力によって元に戻り、前記突出部４０３が相手コネクタと係合することで嵌合が完了する。この際には、クリック感が得られる。
【００５５】
まず、部材４２について説明する。この部材４２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記部材４２は本体部４２１とその両端より嵌合方向に突出する突出片４２２を有している。前記部材４２は略Ｕ字形状をしている。
【００５６】
前記本体部４２１には、前記プルタブ２４が挿入される孔４２６が２つ並行に設けられている。２つ並行に孔４２６を設けることで、図１２（Ｂ）のように折り返されて嵌合口５と反対方向に突出するようになっている。前記孔４２６の形状・大きさは、前記プルタブ２４が入ればよく、前記プルタブ２４の大きさに沿うように、強度や加工性等を考慮して適宜設計する。
【００５７】
前記突出片４２２の先端には、幅方向両側に前記ストレンリリーフ４０の係合部４０４（第１解除機能部）と係合し、前記ストレンリリーフ４０の突出部４０３が相手コネクタ５０の係止部５２から外すための係止部４２４（第２解除機能部）が設けられている。前記係止部４２４（第２解除機能部）の形状・大きさは、係合することで相手コネクタ５０とのロックが解除できればよく、その役割や係合性や強度や加工性等を考慮して適宜設計する。先端の形状には係合性を考え、Ｒ形状やＣ面取りやテーパにするとよい。
【００５８】
前記突出片４２２の先端側で、内側（突出片４２２の向き合い側）方向に突出した突起部４２５が設けられている。前記突起部４２５は前記ストレンリリーフ４０が摺動した際の位置決め（これ以上動かないようにする）のためのものである。前記突起部４２５の形状・大きさ及び位置は、役割や強度や加工性等を考慮して適宜設計する。
【００５９】
次に、ストレンリリーフ４０について説明する。このストレンリリーフ４０は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ストレンリリーフ４０は本体４０１とその両端より嵌合方向に突出する上下に略並行に２つの弾性片４０２を有しており、略Ｕ字形状をしている。
【００６０】
前記弾性片４０２の先端には、２つの弾性片４０２が向き合う方向に突出し、前記相手コネクタ５０の係止部５２と係合する突出部４０３が設けられている。前記突出部４０３は、前記相手コネクタ５０との嵌合時のロック部分である。前記突出部４０３の形状・大きさは、相手コネクタ５０の係止部５２と係合出来ればよく、保持力や係合性や強度や加工性等を考慮して適宜設計する。先端の形状には係合性を考え、Ｒ形状やＣ面取りやテーパにするとよい。
【００６１】
また、前記弾性片４０２のほぼ中央付近には、２つの弾性片４０２が向き合う両側方向に前記部材４２の係止部４２４（第２解除機能部）と係合し、前記ストレンリリーフ４０の突出部４０３が相手コネクタ５０の係止部５２から外すための係合部４０４（第１解除機能部）が設けられている。前記係合部４０４（第１解除機能部）の形状・大きさは、係合することで相手コネクタ５０とのロックが解除できればよく、その役割や係合性や強度や加工性等を考慮して適宜設計する。
【００６２】
さらに、前記本体部４０１から前記弾性片４０２の内側に前記弾性片４０２と略並行に突出した板状片４０５が前記部材４２の突起部４２５に対応するように設けられている。前記板状片４０５は前記ストレンリリーフ４０が摺動した際の位置決め（これ以上動かないようにする）のためのものである。前記板状片４０５の形状・大きさ及び位置は、役割や強度や加工性等を考慮して適宜設計する。
【産業上の利用可能性】
【００６３】
本発明の活用例としては、シーケンサや基地局や自動改札機や遊技機や交換機等の電気機器や電子機器に使用されるコネクタに活用され、特に、部品点数を増やすことなく、ケーブルを処理（纏める）することができ、相手コネクタとの強固なロックができ、かつ、簡単にロックを解除できる構造に関するものである。
【符号の説明】
【００６４】
５              嵌合口
１０            コネクタ
１２            ハウジング
１２１          挿入孔
１２２          本体
１２３          嵌合部
１２４          凸部
１２５          突出片
１２６          係止部
１２７          係合部
１４、１５      コンタクト
１４１、１５１  接触部
１４２、１５２  固定部
１４３、１５３  接続部
１６            上カバー
１６１          装着孔
１６２          位置決めピン
１６３          ガイド片
１６４          傾斜台
１８            下カバー
１８１          装着孔
１８２          位置決め孔
１８３          ガイド溝
１８４          傾斜台
２０            ストレンリリーフ
２０１          本体
２０２          弾性片
２０３          突出部
２０４          係合部（第１解除機能部）
２０５          段差部
２２            部材
２２１          本体部
２２２          突出片
２２３          係止孔
２２４          係止部（第２解除機能部）
２２５          段部
２２６          孔
３０            ストレンリリーフ
３０１          本体
３０２          弾性片
３０３          突出部
３０４          凸部（第１解除機能部）
３０５          板状片
３２            部材
３２１          本体部
３２２          突出片
３２４          突部（第２解除機能部）
３２５          突起部
３２６          孔
４０            ストレンリリーフ
４０１          本体
４０２          弾性片
４０３          突出部
４０４          凸部（第１解除機能部）
４０５          板状片
４２            部材
４２１          本体部
４２２          突出片
４２４          突部（第２解除機能部）
４２５          突起部
４２６          孔
２４            プルタブ
５０            相手コネクタ
５２            係止部
【図１】
2014143178.tif 000003
【図２】
2014143178.tif 000004
【図３】
2014143178.tif 000005
【図４】
2014143178.tif 000006
【図５】
2014143178.tif 000007
【図６】
2014143178.tif 000008
【図７】
2014143178.tif 000009
【図８】
2014143178.tif 000010
【図９】
2014143178.tif 000011
【図１０】
2014143178.tif 000012
【図１１】
2014143178.tif 000013
【図１２】
2014143178.tif 000014